(57)【要約】【課題】干渉縞の影響が少ない、両面表示型の電気光学装置、及びそのような電気光学装置を備えた電子機器を提供する。【解決手段】光源と、導光板と、第１の表示パネルと、第２の表示パネルと、を備えた電気光学装置等であって、導光板は、前記光源に向かって、順次厚さが厚くなる傾斜部を端部に備え、傾斜部を備えた導光板の面側に、第２の表示パネルを配置するとともに、傾斜部を備えていない導光板の面側に、第１の表示パネルを配置し、かつ、第２の表示パネルの表示領域の端部位置が、第１の表示パネルの表示領域の端部位置よりも、光源に近い位置に配置する。【選択図】図２
2008140765.tif 000002
【特許請求の範囲】
【請求項１】
光源と、導光板と、第１の表示パネルと、第２の表示パネルと、を備えた電気光学装置
であって、
前記導光板は、前記光源に向かって、順次厚さが厚くなる傾斜部を端部に備え、
前記導光板の前記傾斜部を備えた面側に、前記第２の表示パネルを配置するとともに、
前記導光板の前記傾斜部を備えていない面側に、前記第１の表示パネルを配置し、かつ、
前記第２の表示パネルの表示領域の端部位置が、前記第１の表示パネルの表示領域の端
部位置よりも、前記光源に近い位置に配置されていることを特徴とする電気光学装置。
【請求項２】
前記第２の表示パネルの表示領域の面積が、前記第１の表示パネルの表示領域の面積よ
りも大きいことを特徴とする請求項１に記載の電気光学装置。
【請求項３】
前記導光板を収容するフレームをさらに備え、前記フレームに、前記導光板の傾斜部に
沿って、その表面を覆うためのフレーム突出部が設けられていることを特徴とする請求項
１または２に記載の電気光学装置。
【請求項４】
前記フレーム突出部と、前記導光板の傾斜部と、の間に、光反射部が設けられているこ
とを特徴とする請求項３に記載の電気光学装置。
【請求項５】
前記フレーム突出部が、光反射部材から構成されていることを特徴とする請求項３また
は４に記載の電気光学装置。
【請求項６】
請求項１〜５のいずれか一項に記載された電気光学装置を備えた電子機器。
【発明の詳細な説明】
【技術分野】
【０００１】
本発明は、電気光学装置及び電子機器に関する。特に、干渉縞の影響が少ない、両面表
示型の電気光学装置及びそのような電気光学装置を備えた電子機器に関する。
【背景技術】
【０００２】
従来、電気光学装置の一態様として、電極の対向領域から構成される画素領域を複数形
成し、それぞれの画素領域に印加する電圧を選択的にオン、オフさせることによって、当
該画素領域の液晶材料を通過する光を変調させ、表示領域全体として絵や文字等の画像を
表示させる液晶表示装置が多用されている。
そして、多機能化のために、両面表示型の液晶表示装置が提案されているものの、１つ
の光源と、導光板によって、両面を構成する液晶パネルを照明するため、一般的な片面表
示型の液晶表示装置に比べて、十分な明るさが得られにくいという問題が見られた。
【０００３】
そこで、図１４に示すように、端部に光源３０１を配置した１枚からなる導光板３０２
の両面に、それぞれ液晶表示パネル３０７、３０８を配置し、液晶表示パネル３０７、３
０８と、導光板３０２との間に、反射偏光板３０５、３０６を配置し、かかる反射偏光板
３０５、３０６の透過軸を調整した両面表示型の液晶表示装置が提案されている。
より具体的には、反射偏光板３０５、３０６の透過軸については、導光板３０２に対し
同じ側における反射偏光板と対向した液晶パネル偏光板３０９、３１０の透過軸と一致さ
せるとともに、反射偏光板３０５及び液晶パネル偏光板３０９の透過軸については、導光
板３０２を挟んで逆側にある反射偏光板３０６及び液晶パネル偏光板３１０の透過軸と直
交させた構成である（例えば、特許文献１参照）。
【０００４】
【特許文献１】特開２００４−４６０５０号公報  （特許請求の範囲、図１）
【発明の開示】
【発明が解決しようとする課題】
【０００５】
しかしながら、特許文献１で提案された両面表示型の液晶表示装置であっても、未だ、
光源における光の効率的利用が不十分であって、かつ、均一に導光することが困難である
という問題が見られた。
また、このような両面表示型の液晶表示装置において、光源に向かって、順次厚さが厚
くなる傾斜部（クサビ部と称する場合がある。）を備えた導光板を用いることも提案され
ているが、傾斜部において光が漏れやすく、それが原因となって、干渉縞が発生しやすい
という問題が見られた。
そこで、本発明の発明者らは鋭意努力し、導光板の端部に、所定形状の傾斜部を設ける
とともに、当該導光板の傾斜部と、複数の表示パネルの配置関係とを考慮することにより
、干渉縞が発生した場合であっても、その影響を少なくできることを見出し、本発明を完
成させたものである。
すなわち、本発明は、両面に表示パネルを設けた場合であっても、干渉縞の影響が少な
い、両面表示型の電気光学装置及びそのような電気光学装置を備えた電子機器を提供する
ことを目的の一つとする。
【課題を解決するための手段】
【０００６】
［適用例１］本適用例によれば、光源と、導光板と、第１の表示パネルと、第２の表示
パネルと、を備えた電気光学装置であって、導光板は、光源に向かって、順次厚さが厚く
なる傾斜部を端部に備え、前記導光板の前記傾斜部を備えた面側（傾斜部面と称する場合
がある。）に、第２の表示パネルを配置するとともに、前記導光板の前記傾斜部を備えて
いない面側（非傾斜部面と称する場合がある。）に、第１の表示パネルを配置し、かつ、
第２の表示パネルの表示領域の端部位置が、第１の表示パネルの表示領域の端部位置より
も、光源に近い位置に配置されている電気光学装置が提供され、上述した問題点を解決す
ることができる。
すなわち、導光板の端部に、所定形状の傾斜部を設けるとともに、それに対応させて、
複数の表示パネルの端部位置の関係を考慮することにより、傾斜部において、光漏れが発
生したとしても、第２の表示パネルにおいては、干渉縞が、光源の近傍で生じるように調
整し、かつ、第１の表示パネルにおいては、干渉縞が、光源から比較的遠い位置において
発生するように調整することができる。
したがって、第１の表示パネルおよび第２の表示パネルにおいて、それぞれ発生する干
渉縞の影響を受けないように配置することが可能となり、第１の表示パネルおよび第２の
表示パネルにおける画像表示エリア内での干渉縞の影響をそれぞれ可及的に少なくするこ
とができる。
【０００７】
［適用例２］また、上記適用例にかかる電気光学装置を構成するにあたり、第２の表示
パネルの表示領域の面積が、第１の表示パネルの表示領域の面積よりも大きいことが好ま
しい。
このように第１の表示パネルおよび第２の表示パネルの面積関係を考慮することにより
、第２の表示パネル等における干渉縞の影響をさらに少なくすることができる。
【０００８】
［適用例３］また、上記適用例にかかる電気光学装置を構成するにあたり、導光板を収
容するフレームをさらに備え、当該フレームに、導光板の傾斜部に沿って、その表面を覆
うためのフレーム突出部が設けられていることが好ましい。
このように特定構造のフレームを用いることにより、第１の表示パネルの固定性等が向
上するばかりか、第２の表示パネル等における干渉縞の影響をさらに少なくすることがで
き、かつ、光源からの光をさらに有効活用し、発光輝度の高い電気光学装置を構成するこ
とができる。
【０００９】
［適用例４］また、上記適用例にかかる電気光学装置を構成するにあたり、フレーム突
出部と、導光板の傾斜部と、の間に、光反射部（光散乱部を含む。以下、同様である。）
が設けられていることが好ましい。
所定位置に光反射部を設けることにより、光源からの光をさらに有効活用することがで
きる一方、第２の表示パネル等における干渉縞の影響をさらに少なくすることができる。
【００１０】
［適用例５］また、上記適用例にかかる電気光学装置を構成するにあたり、フレーム突
出部が、光反射部材（光散乱部材を含む。以下、同様である。）から構成されていること
が好ましい。
このような構成のフレーム突出部とすることにより、フレームの構造が簡易化される一
方、フレーム突出部における光反射特性についても向上させることができる。
【００１１】
［適用例６］本適用例にかかる電子機器は、上記記載の電気光学装置を備えていること
を特徴とする。
すなわち、干渉縞の影響が少ない、両面表示型の電気光学装置を備えた電子機器とする
ことができる。
【発明を実施するための最良の形態】
【００１２】
以下、適宜図面を参照して、本発明の電気光学装置及び電子機器に関する実施形態につ
いて具体的に説明する。ただし、かかる実施形態は、本発明の一態様を示すものであり、
この発明を限定するものではなく、本発明の範囲内で任意に変更することが可能である。
【００１３】
［第１実施形態］
第１実施形態は、図１および図２に例示するように、光源３１と、導光板３２と、第１
の表示パネル１０および第２の表示パネル２０と、を備えた電気光学装置（液晶装置）１
であって、導光板３２は、光源３１に向かって、順次厚さが厚くなる傾斜部３２ｂを端部
３２ａに備え、当該傾斜部３２ｂを備えた導光板３２の面側に、第２の表示パネル２０を
配置するとともに、傾斜部３２ｂを備えていない導光板３２の面側に、第１の表示パネル
１０を配置し、かつ、第２の表示パネル２０の表示領域２７の端部位置Ｃが、第１の表示
パネル１０の表示領域１７の端部位置Ｄよりも、光源３１に近い位置に配置されているこ
とを特徴とする電気光学装置１である。
以下、本実施形態の電気光学装置として、第１の表示パネルおよび第２の表示パネルを
備えた液晶装置を例に採って説明する。
すなわち、以下の説明中、表示パネルとは、シール材で貼り合わせられた一対の基板の
間に液晶材料が注入された状態の電気光学装置用部品を意味し、液晶装置とは、表示パネ
ルに、フレキシブル回路基板や電子部品、光源等が取り付けられた状態の電気光学装置を
意味する。
なお、説明の都合上、図１においては、第２の表示パネル２０が、第１の表示パネル１
０の上方に記載してあり、図２においては、第１の表示パネル１０が、第２の表示パネル
２０の上方に記載してある。また、図１においては、導光板３２の端部３２ａにおける傾
斜部３２ｂを簡略化して記載してあるものの、図２等においては、傾斜部３２ｂを有する
導光板３２を強調して記載してある。
【００１４】
１．基本的構成
図１及び図２に示すように、液晶装置１は、筐体２内に設けられ、一対の基板１１，１
２からなる第１の表示パネル１０と、一対の基板２１，２２からなる第２の表示パネル２
０と、照明装置３０と、を備えている。
そして、第２の表示パネル２０は、第１の表示パネル１０の表示領域１７よりも表示領
域２７の面積が大きく、当該第１の表示パネル１０と第２の表示パネル２０とが、垂直視
した場合に、表示領域１７，２７の少なくとも一部が重なるように配置されている。また
、照明装置３０は、光源３１および導光板３２を含んでおり、第１の表示パネル１０およ
び第２の表示パネル２０に共通のバックライトとして用いられている。
【００１５】
また、第１の表示パネル１０は、図２に示すように、シール材１３を介して互いにセル
ギャップをあけて対向して設けられた一対の平面視矩形状の基板１１，１２と、これら基
板１１，１２の間に挟持された液晶層（電気光学物質）１４と、を備えている。そして、
第１の表示パネル１０における基板１２側に、照明装置３０が配置されている。
また、基板１１の外面１１ａには、射出側偏光板１５が、基板１２の外面１２ａには、
入射側偏光板１６が、それぞれ設けられている。また、基板１２には、各第１の表示パネ
ル１０、および第２の表示パネル２０の画像表示処理を行うためのドライバＩＣ４が実装
されている。
【００１６】
一方、第２の表示パネル２０は、図２に示すように、第１の表示パネル１０と同様に、
シール材２３を介して互いにセルギャップをあけて対向して設けられた一対の平面視矩形
状の基板２１，２２と、これら基板２１，２２の間に挟持された液晶層（電気光学物質）
２４と、を備えている。そして、第２の表示パネル２０の基板２２側に、第１の表示パネ
ル１０と共通の照明装置３０が配置されている。
また、基板２１の外面２１ａには、射出側偏光板２５が設けられており、基板２２の外
面２２ａには、入射側偏光板２６が設けられている。
なお、上述した基板１１，１２，２１，２２は、それぞれ、ガラスやアクリル樹脂など
の透明材料からなる光透過性基板として構成されている。
【００１７】
また、第１の表示パネル１０および第２の表示パネル２０の端部には、図３及び図４に
示すように、フレキシブル回路基板（ＦＰＣ基板）３が、異方性導電膜等の導電性材料（
図示せず）を介して、実装されている。このＦＰＣ基板３は、通常、柔軟性を有するフレ
キシブル回路基板であり、その回路基板上に、電子部品５等がさらに実装されている。
したがって、ドライバＩＣ４や電子部品５等に制御された状態で、光源３１が点灯する
と、光源３１からの光（Ｌ）が、導光板３２の側方から入射し、導光板３２の表面と、裏
面とから面状発光し、その発光を利用して、第１の表示パネル１０および第２の表示パネ
ル２０において、所定の画像表示を行うことができる。
【００１８】
なお、図３は、第１実施形態の液晶装置１の表面側を説明するために供する図である。
液晶装置１の厚さに制約がない場合においては、外部に漏れる光を吸収したり、反射し
たりするための光吸収部材４０を配置することも可能である。図３では光吸収部材４０の
開口部４０ａを点線で示してある。
すなわち、かかる光吸収部材４０は、図２に示すように、第１の表示パネル１０と、第
２の表示パネル２０との間であって、導光板３２の裏面側すなわち第１の表示パネル１０
側に設けられている。さらに、かかる光吸収部材４０は、第１の表示パネル１０の表示領
域１７以外に設けられている。したがって、図３に点線で示すように、光吸収部材４０は
、第１の表示パネル１０の表示領域１７と同等の大きさの開口部４０ａが形成されている
。
そして、かかる光吸収部材４０によれば、導光板３２の上面側すなわち第１の表示パネ
ル１０側から射出され、第１の表示パネル１０の表示領域１７以外に向かう光及び筐体２
内部や、フレーム突出部６ａ（図５参照）等で反射され、第１の表示パネル１０側から第
２の表示パネル２０に向かう光を吸収することができる。
よって、光吸収部材４０は、第２の表示パネル２０において、第１の表示パネル１０が
配置されていない領域から射出される光を吸収等することによって第１の表示パネル１０
の影を視認できなくすることが可能であり、第１の表示パネル１０においては、第１の表
示パネル１０が配置されている領域に開口部４０ａから光を透過させることが可能である
。
なお、第１の表示パネル１０の表示領域１７の端部位置Ｄ、および第２の表示パネル２
０の表示領域２７の端部位置Ｃを、それぞれ光源３１に対して近付けること等により、干
渉縞の発生位置を調整し、第１および第２の表示パネル１０，２０の表示領域１７，２７
の外側に位置させることができる場合などにおいては、光吸収部材４０を配置しなくとも
、上述と同様の効果を奏することができる。
一方、図４は、第１実施形態の液晶装置１の裏面側を説明するために供する図であって
、第１の表示パネル１０の基板１１が直接的に見えており、電子部品５が搭載されている
ことを示している。
【００１９】
２．照明装置
照明装置３０は、図２に示すように、フレーム６と、第１の表示パネル１０および第２
の表示パネル２０に対して、それぞれ電気的に接続された光源回路基板３１ａと、光源回
路基板３１ａ上に実装された光源３１と、この光源３１から出射された光（Ｌ１）を第１
の表示パネル１０および第２の表示パネル２０に対して効率的に導くための導光板３２と
、を含んで構成されている。
なお、図２では、照明装置３０における導光板３２の傾斜部３２ｂから漏れた光（Ｌ２
’）及び傾斜部３２ｂに反射して対向する領域から漏れた光（Ｌ２）によって干渉縞が発
生する位置を表しており、その発生位置を、第１の表示パネル１０において、領域Ｂで表
し、第２の表示パネル２０において、領域Ａで表している。
【００２０】
（１）フレーム構成１
フレーム６としては、光源回路基板３１ａや、導光板３２、あるいは光拡散板等を収容
して、これらを保護できる構成であれば特に制限されるものではないが、例えば、図２に
部分的に示すように、全体としては、外枠を有する矩形状の構造体であることが好ましい
。
この理由は、このようなフレーム６を用いることにより、第１の表示パネル１０や第２
の表示パネル２０の固定性等が向上するためである。また、矩形状の構造体であれば、全
体的なサイズを小さくすることができるためである。
なお、本発明によれば、図２に示すように、端部３２ａに所定形状の傾斜部３２ｂを設
けた導光板３２を用い、導光板３２の傾斜部３２ｂを備えた面側に、第２の表示パネル２
０を配置するとともに、導光板３２の傾斜部３２ｂを備えていない面側に、第１の表示パ
ネル１０を配置し、かつ、第２の表示パネル２０の表示領域２７の端部位置Ｃを、第１の
表示パネル１０の表示領域１７の端部位置Ｄよりも、光源３１に対して近付けることによ
り、干渉縞の発生位置を調整し、その影響を排除することができる。
より具体的には、傾斜部３２ｂを形成した導光板３２において、効率よく光（Ｌ）を伝
播するために設定された傾斜角を有する傾斜部３２ｂにおいて光漏れが発生した場合には
、第２の表示パネル２０側、すなわち傾斜部３２ｂが形成された側においては、比較的光
源３１の近傍に、第１の表示パネル１０側、すなわち傾斜部３２ｂが形成されない側にお
いては、比較的光源３１から遠い位置に光（Ｌ２，Ｌ２’）が射出して漏れる特性がある
。その特性に従って、第２の表示パネル２０の表示領域２７の端部位置Ｃを、第１の表示
パネル１０の表示領域１７の端部位置Ｄよりも光源３１の近くに配置することによって、
干渉縞を双方の第１および第２の表示パネル１０，２０の表示領域１７，２７の外側に位
置させるとともに、液晶装置１の外形寸法を縮小することを可能にすることができる。
但し、図５等に示すように、フレーム６に対して、所定のフレーム突出部６ａを設ける
ことにより、干渉縞の影響をさらに排除できるが、その理由は後述する。
【００２１】
（２）フレーム構成２
また、光吸収部材４０と同様にスペースの制約が無い場合においては、図５に示すよう
に、フレーム６に、導光板３２の傾斜部３２ｂに沿って、その表面を覆うためのフレーム
突出部６ａを設けることが好ましい。
この理由は、このようなフレーム突出部６ａを設けることにより、導光板３２の傾斜部
３２ｂから漏れてきた光を効率的に遮ることができるためである。
したがって、第２の表示パネル２０等における干渉縞の発生の影響を少なくすることが
でき、かつ、導光板３２の傾斜部３２ｂから漏れた光を導光板３２に反射して、戻すこと
ができることから、光源３１から出射された光をさらに有効活用し、発光輝度の高い液晶
装置１を構成することができる。
また、このように特定構造のフレーム突出部６ａを備えたフレーム６を用いることによ
り、フレーム突出部６ａの下方に位置する角部によって、第２の表示パネル２０の固定性
等がさらに向上するためである。
【００２２】
ここで、図６を参照して、フレームの所定箇所に、フレーム突出部を設ける効果をさら
に詳細に説明する。
図６は、第１実施形態の液晶装置における干渉縞の発生位置を説明するために供する図
である。そして、図６中、ライン（Ｌ３）が、第１の表示パネル１０における干渉縞の発
生場所を示しており、ライン（Ｌ４）が、第２の表示パネル２０における干渉縞の発生場
所を示している。
したがって、図６中、フレーム突出部６ａによって、光漏れが完全に防止できるのであ
れば、ライン（Ｌ４）に起因した干渉縞は発生しないことになる。また、フレーム突出部
６ａによって、光漏れが完全に防止できない場合であっても、漏れた光を有効に反射等で
きるため、第２の表示パネル２０等における干渉縞の発生の影響を少なくすることができ
る。
すなわち、図６に示す構成であれば、干渉縞の発生自体や発生場所について調整できる
ため、第１の表示パネル１０および第２の表示パネル２０において、それぞれ発生する干
渉縞の影響を受けないように構成することが可能となる。よって、第１の表示パネル１０
および第２の表示パネル２０における表示領域１７，２７内での干渉縞の影響をそれぞれ
可及的に少なくすることができる。
【００２３】
また、図５や図６等に示すフレーム突出部６ａと、水平方向とがなす角度を導光板３２
に形成された傾斜部３２ｂの角度にあわせて、１°〜４０°の範囲内の値とすることが好
ましい。
この理由は、このようにフレーム突出部６ａの角度を考慮することにより、導光板３２
の傾斜部３２ｂとの係合が容易になるばかりか、干渉縞の発生位置を制御しやすくなって
、第２の表示パネル２０等における干渉縞の影響をさらに少なくすることができるためで
ある。
したがって、フレーム突出部６ａと、水平方向とがなす角度を１°〜２０°の範囲内の
値とすることがより好ましく、２°〜１５°の範囲内の値とすることがさらに好ましい。
【００２４】
また、図７に示すように、フレーム突出部６ａと、導光板３２の傾斜部３２ｂと、の間
に、光反射部３３を設けることが好ましい。
この理由は、所定位置に光反射部を設けることにより、光（Ｌ２’）で示す導光板３２
の傾斜部３２ｂからの光漏れを有効に防止でき、第２の表示パネル２０等における干渉縞
の影響をさらに少なくすることができるためである。すなわち、導光板３２の傾斜部３２
ｂからの光漏れがあったとしても、図７に、光（Ｌ２）で示すように反射させ、干渉縞を
、光源３１近くの所定位置（表示領域１７外）に発生させることができる。
一方、図７に、光（Ｌ１）で示すように、ほとんどの光は、導光板３２の傾斜部３２ｂ
と、光反射部３３と、の界面で反射され、光源３１から比較的遠くまで運ぶことが可能に
なる。
なお、かかる光反射部３３は、アルミニウム、ニッケル、銅、銀、クロム、ステンレス
等からなる薄膜金属反射部や、銀粒子やアルミニウム粒子等の光反射材料を内部に含む薄
膜樹脂層として、構成することが好ましい。
【００２５】
また、図示しないものの、上述したフレーム突出部６ａが、光反射部材から構成されて
いることが好ましい。
この理由は、このような構成のフレーム突出部６ａとすることにより、フレーム６の構
造が簡易化される一方、フレーム突出部６ａにおける光反射特性を向上させることができ
るためである。
すなわち、かかるフレーム突出部６ａを、アルミニウム、ニッケル、銅、銀、クロム、
ステンレス等の金属材料や、銀粒子やアルミニウム粒子等の光反射材料を内部に含む複合
樹脂から構成することが好ましい。したがって、フレーム６全体を、このような金属材料
や複合樹脂から構成することにより、フレーム突出部６ａおよびフレーム６全体の製造工
程が安定したり、簡略化したりするため、フレーム突出部６ａにおける光反射特性につい
ても向上させることができる。
【００２６】
（３）光源回路基板
また、フレーム６に収容する光源回路基板３１ａとしては、図８（ａ）〜（ｂ）に示す
ように、光源３１を搭載したフレキシブル回路基板が典型例である。
かかる光源回路基板３１ａは、ポリイミド樹脂等の可撓性のフレキシブル基板を基体と
した回路基板であって、一方側の端部付近に光源３１が実装され、他方側の端部にパネル
接続用端子（図示せず）を備え、これらの光源３１及び接続用端子は電気配線を介して電
気的に接続されている。光源回路基板３１ａは実装部３１ｂを介してフレーム６に接着さ
れている。また、必要に応じて導光板３２にも同様に実装部３１ｂを介して接着される。
また、図示しないものの、光源回路基板３１ａとしてのフレキシブル回路基板の表面は
、光源３１の実装領域やパネル接続用端子部分、検査用端子部分等を除いて、電気絶縁膜
により被覆されていることが好ましい。
なお、光源回路基板３１ａに実装される光源３１としては、発光ダイオード（ＬＥＤ）
が一般的であるが、それ以外にも蛍光管や白熱電球等を用いることもできる。
【００２７】
また、図８（ａ）および（ｂ）に示すように、光源回路基板３１ａの形態としては、光
源３１を搭載する実装部３１ｂと、この実装部３１ｂからの配線の取り出しのための延長
部３１ｄ，３１ｆと、から構成してあることが好ましい。
すなわち、光源回路基板３１ａにおける実装部３１ｂを概ね長方形とするとともに、延
長部３１ｄ，３１ｆは、実装部３１ｂの片端部から、Ｌ字を構成するように帯状に形成し
てあることが好ましい。そして、延長部３１ｄ，３１ｆは、途中に設けた折り曲げ線３１
ｅによって、山折、あるいは谷折できるように構成してあることが好ましい。
この理由は、このような形態の光源回路基板３１ａであれば、フレーム６に対する光源
回路基板３１ａの搭載や、フレーム６内部での導光板３２との位置合わせが容易かつ、正
確になるためである。
【００２８】
また、図９に、光源３１を搭載した光源回路基板３１ａ’として、別の態様を示す。か
かる光源回路基板３１ａ’は、複数層からなる折り畳み構造を採用していることを特徴と
している。
この理由は、このような複数層からなる折り畳み構造の光源回路基板３１ａ’であれば
、光源回路基板３１ａ’自体が薄型化したとしても、所定強度を保持できるとともに、液
晶装置１内での省スペース化に寄与する一方、光源回路基板３１ａ’における実装可能面
積を拡大するのにも資するためである。
さらに、このような複数層からなる光源回路基板３１ａ’であれば、フレーム６に対す
る搭載性や位置合わせ性が向上するばかりか、導光板３２との間の位置合わせについても
、容易かつ正確になるためである。
【００２９】
なお、図９に示す光源回路基板３１ａ’は、光源搭載部３１ｂ’，３１ｃ’，３１ｆ’
では、実質的に３層構造を採用しており、光源（図示せず）のみならず、各種電子部品（
図示せず）を搭載できる構成としてある。
さらに、図９に示す光源回路基板３１ａ’の場合、下層の光源搭載部３１ｆ’が側方に
突出した延出部３１ｇ’を備えており、そこに外部部品端子が電気接続できるようにコネ
クタ３１ｉ’が設けてあるとともに、その延出部の先端がさらに下方反対側に折り畳まれ
て、折り返し部３１ｈ’を形成している。
そして、図９に示す光源回路基板３１ａ’において、両端部近傍に設けてある孔３１ｅ
’は、光源回路基板３１ａ’の位置決め穴である。すなわち、かかる孔３１ｅ’と、図１
１に示す折り曲げ部材１００のボス１０１とが係合し、光源回路基板３１ａ’が所定位置
に、迅速かつ強固に固定されることになる。
その他、図示しないものの、補強板を準備し、その補強板と、光源回路基板３１ａ’の
双方に、穴（孔）を形成し、両者を貫通するような治具を用いて、光源回路基板３１ａ’
の位置合わせする構成も好ましい。
【００３０】
（４）導光板
また、表示パネル等に対して、光（Ｌ）を均一に導くための導光板として、図１０（ａ
）に示すように、傾斜部３２ｂを備えた導光板３２を用いることを特徴とする。
ここで、かかる導光板３２は、アクリル樹脂などの光透過性材料からなる板材であり、
第１の表示パネル１０が配された側には、図２または図７に示すように、拡散シート３４
、第１プリズムシート３５及び第２プリズムシート３６が順に設けられている。
かかる拡散シート３４は、導光板３２からの射出光を拡散させるための板形状のシート
部材である。このような拡散シート３４としては、拡散剤を分散させたアクリルシートな
どを使用することが可能である。そして、この拡散シート３４により、導光板３２からの
射出光の面輝度を均一化し得るとともに、第１プリズムシート３５及び第２プリズムシー
ト３６の溝や凹凸形状の映りこみ（輝度ムラ）を有効に防止することができる。
また、第１プリズムシート３５及び第２プリズムシート３６は、透明なアクリル樹脂な
どからなる平板状の板材の一面側（第１の表示パネル１０側）がプリズム面とされて構成
されており、例えば、プリズム面として、側面三角波状の周期的な凹凸（図示略）が形成
されている。
【００３１】
そして、図１０（ａ）に示す導光板３２において、当該導光板３２の端部３２ａに、光
源３１に向かって、順次厚さが厚くなるような傾斜部３２ｂが設けてある。
すなわち、このように導光板３２の端部３２ａを所定形状とすることによって、光源３
１からの光（Ｌ）を有効利用して、発光輝度の値が高い上に、発光輝度が均一である電気
光学装置とすることができる。
【００３２】
また、導光板３２における傾斜部３２ｂの角度に関して、図１０（ａ）に示すように、
傾斜部３２ｂの斜面と、水平方向とがなす角度（θ１）を１°〜４０°の範囲内の値とす
ることが好ましい。
この理由は、このように傾斜部３２ｂの角度を所定範囲内の値とすることによって、光
源３１からの光（Ｌ）をさらに有効利用できるとともに、発光輝度の均一性についてもさ
らに向上させることができるためである。
したがって、導光板３２の材質や用途等にもよるが、傾斜部３２ｂの斜面と、水平方向
とがなす角度（θ１）を１°〜２０°の範囲内の値とすることがより好ましく、２°〜２
０°の範囲内の値とすることがさらに好ましい。
なお、図１０（ｂ）に示すように、傾斜部３２ｂの斜面と、水平方向とがなす角度（θ
２）を、図１０（ａ）に示す角度（θ１）よりも相対的に大きくすることにより、干渉縞
が発生する箇所を、光源３１に対して、さらに近付けることができ、表示領域１７、２７
外に干渉縞の発生場所を追いやることができる。すなわち、第１の表示パネル１０や第２
の表示パネル２０の面積をそれぞれ比較的大きくした場合であっても、干渉縞の影響を少
なくすることができる。
【００３３】
また、導光板３２における傾斜部３２ｂの長さに関して、図１０（ａ）に示すように、
水平方向の長さａを０．１ｍｍ〜５ｍｍの範囲内の値とすることが好ましい。
この理由は、このように傾斜部３２ｂの水平方向における所定長さを所定範囲内の値と
することによって、光源３１からの光（Ｌ）をさらに有効利用できるとともに、発光輝度
の均一性についてもさらに向上させることができるためである。
したがって、導光板３２の材質や用途等にもよるが、傾斜部３２ｂにおける水平方向の
長さａを０．３ｍｍ〜３ｍｍの範囲内の値とすることがより好ましく、０．５ｍｍ〜２ｍ
ｍの範囲内の値とすることがさらに好ましい。
【００３４】
また、導光板３２の傾斜部３２ｂの厚さに関して、図１０（ａ）に示すように、厚さｃ
を０．０３ｍｍ〜３ｍｍの範囲内の値とすることが好ましい。
この理由は、このように傾斜部３２ｂの厚さｃを調整することによって、光源３１から
の光（Ｌ）をさらに有効利用できるとともに、発光輝度の均一性についてもさらに向上さ
せることができるためである。
したがって、導光板３２の材質や用途等にもよるが、傾斜部３２ｂの厚さｃを０．０５
ｍｍ〜１ｍｍの範囲内の値とすることがより好ましく、０．０７ｍｍ〜０．８ｍｍの範囲
内の値とすることがさらに好ましい。
【００３５】
３．表示パネルの配置関係
（１）配置関係１
まず、図２に示すように、導光板３２の傾斜部３２ｂを備えた面側に、第２の表示パネ
ル２０を配置するとともに、導光板３２の傾斜部３２ｂを備えていない面側に、第１の表
示パネル１０を配置し、かつ、第２の表示パネル２０の表示領域２７の端部位置Ｃを、第
１の表示パネル１０の表示領域１７の端部位置Ｄよりも、光源３１に対して近付けること
を特徴とする。
この理由は、導光板３２の端部３２ａに、所定形状の傾斜部３２ｂを設けるとともに、
第１および第２の表示パネル１０，２０の表示領域１７，２７の端部位置Ｃ，Ｄの関係を
考慮することにより、傾斜部３２ｂ及び傾斜部３２ｂに対向する領域において、光漏れが
発生したとしても、図２中、光（Ｌ２，Ｌ２’）で示すように、干渉縞を、第１の表示パ
ネル１０の表示領域１７の端部位置Ｃ、第２の表示パネル２０の表示領域２７の端部位置
Ｄの外側で発生させることが可能なためである。
したがって、第１の表示パネル１０及び第２の表示パネル２０を、干渉縞の発生領域を
避けて配置することが可能となり、第１の表示パネル１０及び第２の表示パネル２０にお
ける画像表示エリアとしての表示領域１７，２７内での干渉縞の影響を可及的に少なくす
ることができる。また、図７に示すように、フレーム６にフレーム突出部６ａを形成した
構成では、第２の表示パネル２０においては、かかる干渉縞の影響が実質的になくなるの
で、第２の表示パネル２０の表示領域２７の端部位置Ｃを、光源３１に対して近付けるこ
とができ、画像表示部を大型化することができる。
なお、第１の表示パネル１０の表示領域１７の端部位置Ｄおよび第２の表示パネル２０
の表示領域２７の端部位置Ｃとして、図１に示す液晶装置１のような場合、それぞれシー
ル材１３，２３の位置を想定することもできるが、実質的に表示領域の端部と認識できる
箇所であればシール材以外であっても良く、図２に示すように第１の表示パネル１０の表
示領域１７の端部を干渉縞が発生する領域Ｂよりも遠い端部位置Ｄ、第２の表示パネル２
０の表示領域２７の端部を干渉縞が発生する領域Ａよりも遠い端部位置Ｃとすることがで
きる。
【００３６】
（２）配置関係２
また、図２に示すように、第１の表示パネル１０の表示領域１７の端部位置Ｄと、光源
３１との間の距離（Ｔ１）を、第２の表示パネル２０の表示領域２７の端部位置Ｃと、光
源３１との間の距離（Ｔ２）の１．０１倍〜１０倍とすることが好ましい。
この理由は、このように第１の表示パネル１０および第２の表示パネル２０の表示領域
１７，２７の端部位置Ｃ，Ｄと、光源３１との間の距離をそれぞれ制限することにより、
光源３１からの光（Ｌ）をさらに有効活用することができるためである。
したがって、第１の表示パネル１０の表示領域１７の端部位置Ｄと、光源３１との間の
距離（Ｔ１）を、第２の表示パネル２０の表示領域２７の端部位置Ｃと、光源３１との間
の距離（Ｔ２）の１．２倍〜８倍とすることがより好ましく、１．３倍〜３倍とすること
がさらに好ましい。
【００３７】
（３）配置関係３
また、第２の表示パネル２０の表示領域２７の面積を、第１の表示パネル１０の表示領
域１７の面積よりも大きくすることが好ましい。
この理由は、このように第１の表示パネル１０および第２の表示パネル２０の面積関係
を考慮することにより、光源３１からの光（Ｌ）をさらに有効活用することができるため
である。
すなわち、第１の表示パネル１０が小さければ、干渉縞の発生領域を避けて配置するこ
とが容易となり、第１の表示パネル１０における画像表示エリアとしての表示領域１７内
での干渉縞の影響を可及的に少なくすることができる。
また、第２の表示パネル２０においては、かかる干渉縞の影響が実質的になくなり、第
２の表示パネル２０の表示領域２７の端部位置Ｃを、光源３１に対して近付けることがで
きるので、画像表示部としての表示領域２７を大型化することができる。
よって、第１の表示パネル１０および第２の表示パネル２０における表示領域１７，２
７の面積を考慮することにより、干渉縞の影響を排除しながら、第１および第２の表示パ
ネル１０，２０に対する大きさの制約を少なくすることができる。
【００３８】
４．製造方法
本実施形態の電気光学装置（液晶装置）１は、フレーム６内に収容された導光板３２と
、当該導光板３２に対して、光（Ｌ）を入射させるための光源３１と、第１の表示パネル
１０と、第２の表示パネル２０と、を含む照明装置を備えた電気光学装置１の製造方法に
より得ることができる。
より具体的には、光源３１に向かって、順次厚さが厚くなる傾斜部３２ｂを端部３２ａ
に備えた導光板３２を準備する工程と、フレーム６内に導光板３２および光源３１を収容
する工程と、導光板３２の両面に、第１の表示パネル１０および第２の表示パネル２０を
配置する配置工程と、を含み、配置工程において、第２の表示パネル２０を、導光板３２
の傾斜部３２ｂを備えた面側に配置するとともに、導光板３２の傾斜部３２ｂを備えてい
ない面側に、第１の表示パネル１０を配置し、かつ、第２の表示パネル２０の表示領域２
７の端部位置Ｃを、第１の表示パネル１０の表示領域１７の端部位置Ｄよりも、光源３１
に近付けて配置することを特徴とする電気光学装置１の製造方法である。
【００３９】
すなわち、以下の工程１）〜４）を含み、かつ、工程４）において、第２の表示パネル
２０を、導光板３２の傾斜部３２ｂを備えた面側に配置するとともに、導光板３２の傾斜
部３２ｂを備えていない面側に、第１の表示パネル１０を配置し、かつ、第２の表示パネ
ル２０の表示領域２７の端部位置Ｃを、第１の表示パネル１０の表示領域１７の端部位置
Ｄよりも、光源３１に近付けることを特徴とする電気光学装置１の製造方法である。
１）光源３１に向かって、順次厚さが厚くなる傾斜部３２ｂを端部３２ａに備えた導光
板３２を準備する工程（導光板準備工程）
２）フレーム６を準備する工程（フレーム準備工程）
３）フレーム６内に、導光板３２を収容する工程（導光板収容工程）
４）導光板３２の両面に、第１の表示パネル１０および第２の表示パネル２０を配置す
る配置工程（パネル配置工程）
【００４０】
（１）導光板準備工程
導光板準備工程は、光源３１に向かって、順次厚さが厚くなる傾斜部３２ｂを端部３２
ａに備えた導光板３２を準備する工程である。
すなわち、図１０（ａ）〜（ｂ）に部分的に示す導光板３２を、射出成形方法等の従来
公知の方法で作成して、それを準備する。
【００４１】
（２）フレーム準備工程
次いで、導光板３２や、当該導光板３２に対して、光（Ｌ）を入射させるための光源３
１を収容するためのフレーム６を準備する工程である。すなわち、フレーム６を、射出成
形方法等の従来公知の方法で作成し、それを準備する。
また、フレーム準備工程において、図２や図５等に示すように、導光板３２の傾斜部３
２ｂに沿って、その表面を覆うためのフレーム突出部６ａを有するフレーム６を準備する
ことが好ましい。
この理由は、このように特定構造のフレーム６を用いることにより、フレーム６のフレ
ーム突出部６ａと、導光板３２の傾斜部３２ｂとを係合させることができるため、第２の
表示パネル２０の固定性等が向上するばかりか、光源３１からの光（Ｌ）をさらに有効活
用することができるためである。
なお、上述したように、フレーム６を準備するに際して、フレーム突出部６ａと、導光
板３２の傾斜部３２ｂと、の間に、光反射部３３を設けたり、フレーム突出部６ａを、光
反射部材から構成したりすることも好ましい。
【００４２】
（３）導光板収容工程
次いで、導光板収容工程は、フレーム６のフレーム突出部６ａと、導光板３２の傾斜部
３２ｂとを係合させて、フレーム６内に、導光板３２を収容する工程である。
すなわち、図２等に示すように、フレーム６の内部に、導光板３２を挿入して、所定位
置に収容する工程である。
【００４３】
（４）パネル配置工程
次いで、パネル配置工程は、導光板３２の両面に、第１の表示パネル１０および第２の
表示パネル２０を配置する工程である。
すなわち、図２等に示すように、第２の表示パネル２０を、導光板３２の傾斜部３２ｂ
を備えた面側（傾斜部３２ｂ面）に配置するとともに、導光板３２の傾斜部３２ｂを備え
ていない面側（非傾斜部面）に、第１の表示パネル１０を配置し、かつ、第２の表示パネ
ル２０の表示領域２７の端部位置Ｃを、第１の表示パネル１０の表示領域１７の端部位置
Ｄよりも、光源３１に近付けるように配置することを特徴とする。
したがって、このように導光板３２の端部３２ａに、所定形状の傾斜部３２ｂを設ける
とともに、第１および第２の表示パネル１０，２０の表示領域１７，２７の端部位置Ｃ，
Ｄの関係を考慮して、液晶装置１を製造することにより、第２の表示パネル２０において
は、かかる干渉縞の影響が実質的になくなり、また、第１の表示パネル１０においても、
画像表示エリアとしての表示領域１７内での干渉縞の影響を可及的に少なくすることがで
きる。すなわち、干渉縞の影響が少ない液晶装置１を効率的かつ安価に製造することがで
きる。
【００４４】
（５）ＦＰＣ基板の実装工程等
なお、上述したパネル配置工程後、あるいはパネル配置工程前に、第１の表示パネル１
０および第２の表示パネル２０の端部に、図３及び図４に示すように、外部端子接続用に
、ＦＰＣ基板３を、導電性材料（図示せず）を介して、実装する。
【００４５】
また、図３及び図４に示すＦＰＣ基板３に限らず、図９に示すような光源回路基板３１
ａ’を、そのまま外部端子接続用に用いることも好ましい。
すなわち、第１の表示パネル１０および第２の表示パネル２０が薄型化されている場合
、図１１に示すような、折り曲げ部材１００を挿入した状態で、図１２に示すように、光
源回路基板３１ａ’を、導電性材料（図示せず）を介して実装するとともに、当該反転さ
せることが好ましい。
この理由は、光源回路基板３１ａ’と、外部端子接続用のＦＰＣ基板３とが兼用される
ことにより、多大なる省スペース化が図られるためである。また、光源回路基板３１ａ’
を１８０°方向に折り曲げるため、光源回路基板３１ａ’が相当薄い場合であっても反発
弾性が大きくなるが、折り曲げ部材１００の働きによって、かかる反発弾性を抑制するこ
とができるためである。
【００４６】
なお、反発弾性をさらに抑制するためには、折り曲げ部材１００と、光源回路基板３１
ａ’との間を固定すべく、折り曲げ部材１００に接着剤層や粘着剤層１００ｃを設けるこ
とが好ましい。
その他、図１１に示す折り曲げ部材１００としては、スレンレスやアルミニウム等の金
属材料や、セラミック材料、あるいはプラスチック材料からなるフィルム状物を用いて構
成することが好ましい。
【００４７】
［第２実施形態］
第２実施形態は、第１実施形態の電気光学装置（液晶装置）１を備えた電子機器である
。
図１３は、本実施形態の電子機器の全体構成を示す概略構成図である。この電子機器は
、液晶装置２００に備えられた表示パネル２００Ａと、これを制御するための制御手段２
００Ｂとを有している。また、制御手段２００Ｂは、表示情報出力源１２１０と、表示処
理回路１２２０と、電源回路１２３０と、タイミングジェネレータ１２４０とを備えてい
る。
また、表示情報出力源１２１０は、ＲＯＭ（Read Only Memory）やＲＡＭ（Random Acc
ess Memory）等からなるメモリと、磁気記録ディスクや光記録ディスク等からなるストレ
ージユニットと、デジタル画像信号を同調出力する同調回路とを備え、タイミングジェネ
レータ１２４０によって生成された各種のクロック信号ＣＬＫに基づいて、所定フォーマ
ットの画像信号等の形で表示情報を表示処理回路１２２０に供給するように構成されてい
る。
【００４８】
また、表示処理回路１２２０は、シリアル−パラレル変換回路、増幅・反転回路、ロー
テーション回路、ガンマ補正回路、クランプ回路等の周知の各種回路を備え、入力した表
示情報の処理を実行して、その画像情報をクロック信号ＣＬＫと共に、制御手段２００Ｂ
における駆動回路等へ供給する。さらに、駆動回路は、第１の電極駆動回路、第２の電極
駆動回路及び検査回路を含めることができる。また、電源回路１２３０は、上述の各構成
要素にそれぞれ所定の電圧を供給する機能を有している。
そして、本実施形態の電子機器であれば、導光板３２の端部３２ａに、光源３１に向か
って、順次厚さが厚くなる傾斜部３２ｂを備えるとともに、当該傾斜部３２ｂが形成され
た領域の光源３１と対向する面の少なくとも一部に、光（Ｌ）の屈折角度を調節するため
に傾斜部３２ｂまたは曲面部を設けることにより、発光輝度が均一で、光学的信頼性に優
れた照明装置を含む電子機器とすることができる。
【産業上の利用可能性】
【００４９】
本発明によれば、導光板の端部に、所定形状の傾斜部を設けるとともに、当該導光板の
傾斜部と、両面の表示パネルの配置関係、並びに、両面の表示パネルの端部位置の関係と
を考慮することにより、干渉縞の発生の影響が少ない、両面表示型の電気光学装置、及び
そのような電気光学装置を備えた電子機器をそれぞれ提供できるようになった。
したがって、本発明の電気光学装置等によれば、ＴＦＴ素子やＴＦＤ素子等のスイッチ
ング素子を備えた液晶装置やそれを用いた電子機器、例えば、携帯電話機やパーソナルコ
ンピュータ等をはじめとして、液晶テレビ、ビューファインダ型・モニタ直視型のビデオ
テープレコーダ、カーナビゲーション装置、ページャ、電気泳動装置、電子手帳、電卓、
ワードプロセッサ、ワークステーション、テレビ電話、ＰＯＳ端末、タッチパネルを備え
た電子機器、電子放出素子を備えた装置（ＦＥＤ:Field Emission DisplayやＳＣＥＥＤ
：Surface-Conduction Electron-Emitter Display）などに幅広く適用することができる
。
【図面の簡単な説明】
【００５０】
【図１】第１実施形態の液晶装置を説明するための図である。
【図２】第１実施形態の液晶装置を示す概略断面図である。
【図３】第１実施形態の液晶装置の表面側を説明するために供する図である。
【図４】第１実施形態の液晶装置の裏面側を説明するために供する図である。
【図５】第１実施形態に用いるフレームを説明するために供する図である。
【図６】第１実施形態の液晶装置における干渉縞の発生位置を説明するために供する図である。
【図７】第１実施形態の液晶装置の変形例を示す概略断面図である。
【図８】（ａ）〜（ｂ）は、光源を搭載した光源回路基板を説明するために供する図である。
【図９】光源回路基板の別の態様を説明するために供する図である。
【図１０】（ａ）〜（ｂ）は、第１実施形態の液晶装置に用いられる導光板における光の屈折状態を説明するために供する図である。
【図１１】フレキシブル回路基板の折曲用プレートを説明するために供する図である。
【図１２】フレキシブル回路基板を実装した状態を説明するために供する図である。
【図１３】第２実施形態の電子機器の全体構成を示す概略構成図である。
【図１４】従来の両面表示型の液晶表示装置を説明するために供する図である。
【符号の説明】
【００５１】
１…電気光学装置（液晶装置）、２…筐体、３…フレキシブル回路基板（ＦＰＣ基板）
、４…ドライバＩＣ、５…電子部品、６…フレーム、６ａ…フレーム突出部、１０…第１
の表示パネル、１１，１２…基板、１３…シール材、１４…液晶層（電気光学物質）、１
５…射出側偏光板、２０…第２の表示パネル、２１，２２…基板、２３…シール材、２５
…射出側偏光板、３０…照明装置、３１…光源、３１ａ，３１ａ'…光源回路基板、３２
…導光板、３２ａ…端部、３２ｂ…傾斜部、４０…光吸収部材、４０ａ…開口部、１００
…折り曲げ部材、１０１…ボス、２００…液晶装置、２００Ａ…表示パネル、２００Ｂ…
制御手段、１２１０…表示情報出力源、１２２０…表示処理回路、１２３０…電源回路、
１２４０…タイミングジェネレータ。
【図１】
2008140765.tif 000003
【図２】
2008140765.tif 000004
【図３】
2008140765.tif 000005
【図４】
2008140765.tif 000006
【図５】
2008140765.tif 000007
【図６】
2008140765.tif 000008
【図７】
2008140765.tif 000009
【図８】
2008140765.tif 000010
【図９】
2008140765.tif 000011
【図１０】
2008140765.tif 000012
【図１１】
2008140765.tif 000013
【図１２】
2008140765.tif 000014
【図１３】
2008140765.tif 000015
【図１４】
2008140765.tif 000016